(57)【要約】【課題】マルチビーム光源手段と平行光束化手段とが傾いて組みつけられるという問題点を解消し、光源装置の小型化を実現し、光源装置の取り扱い性能を向上させ、またマルチビーム光学系においてマルチビーム光源手段の姿勢を安定させながら回転調整する手段を形成すると共に、複数の光源装置を一つの筐体に収めた走査光学装置を安価に実現することが可能な光源装置及び画像形成装置を提供する。【解決手段】光学箱３６は、レーザホルダ４に接触してレーザホルダ４を位置決めするＶ形状８を、コリメータレンズ３８の光軸方向に少なくとも２つ備え、レーザホルダ４は、少なくとも２つのＶ形状８と接触する部位の間に、半導体レーザ３９を回転調整するための突出部９を備えることを特徴とする。【選択図】　図１
2004034608.tif 000002
【特許請求の範囲】
【請求項１】
複数のレーザ光を発するマルチビーム光源手段と、
前記マルチビーム光源手段からの光束を平行光束化する平行光束化手段と、
該平行光束化手段と前記マルチビーム光源手段とを保持する保持手段と、
該保持手段が組みつけられる筐体とを有し、
前記マルチビーム光源手段を前記筐体に対して略光軸まわりに回転させることにより調整を行う光源装置において、
前記筐体は、前記保持手段に接触して該保持手段を位置決めする位置決め手段を、前記平行光束化手段の光軸方向に少なくとも２つ備え、
前記保持手段は、前記少なくとも２つの位置決め手段と接触する部位の間に、前記マルチビーム光源手段を回転調整するための調整手段を備えることを特徴とする光源装置。
【請求項２】
前記位置決め手段がＶ形状であることを特徴とする請求項１に記載の光源装置。
【請求項３】
前記調整手段は、保持手段の外部に向かって突出している突出部であることを特徴とする請求項１又は２に記載の光源装置。
【請求項４】
前記筐体は、前記突出部が挿入される穴を備えることを特徴とする請求項３に記載の光源装置。
【請求項５】
前記筐体の穴は貫通穴であり、前記突出部は穴を貫通していることを特徴とする請求項４に記載の光源装置。
【請求項６】
前記突出部が、前記筐体の穴の少なくとも１方向において該穴に嵌合していることを特徴とする請求項３から５のいずれか１項に記載の光源装置。
【請求項７】
前記調整手段は、前記保持手段の内部に向かって窪んでいる窪み部であることを特徴とする請求項１又は２に記載の光源装置。
【請求項８】
前記筐体が、
前記窪み部に略一致する位置に貫通穴を備えることを特徴とする請求項７に記載の光源装置。
【請求項９】
前記マルチビーム光源手段は複数の発光点を持ち、
前記保持手段は前記位置決め手段に接触しながら回転可能であることを特徴とする請求項１から８のいずれか１項に記載の光源装置。
【請求項１０】
上記請求項１から９のいずれか１項に記載の光源装置から出射されたレーザ光を、複数の結像光学系に各々対応する像坦持体上に導光し、各々の像坦持体面に互いに異なった色の画像を形成してカラー画像を形成することを特徴とする画像形成装置。
【発明の詳細な説明】
【０００１】
【発明の属する技術分野】
本発明は、カラーＬＢＰやカラーデジタル複写機、カラーデジタルＦＡＸ等のカラー電子写真装置においてレーザビームを使用して光書き込みを行う際に使用される光源装置及びこのような光源装置を用いた画像形成装置に関するものである。
【０００２】
【従来の技術】
従来の光源装置として、特開平１１−３８３４２号公報に記載の、光学箱に設けられたＶ形状の溝にマルチビーム光源ユニットを組付ける光源装置が提案されている。
【０００３】
また、実案２５３６７１１号公報に記載されているように、複数（例えば４個）の光源装置を一つの筐体に収めた走査光学装置を用いたカラー画像形成装置が提案されている。
【０００４】
【発明が解決しようとする課題】
しかしながら、特開平１１−３８３４２号公報に記載の技術ではマルチビーム半導体レーザとコリメータレンズとを一体に保持する筒状の保持部材を筐体に組付けて略光軸まわりに回転させ傾けて調整組付ける際、筐体には１つのＶ形状しかなかったので、光軸方向には１箇所で受ける構成になってしまい、以下のような欠点があった。
【０００５】
マルチビーム光学系では半導体レーザとコリメータレンズを一体に保持する筒状の保持部材を筐体に対し回転調整する時に、保持部材をクランプする場所が必ずしもＶ形状の位置と一致しないことで応力がかかり、お辞儀方向や首振り方向に傾いて組みつけられやすい。
【０００６】
もし傾いて組みつけられてしまった場合には、光束が以降の光学系の例えば走査レンズにおいて有効領域外を通過することによって像坦持体上でピントや照射位置がずれたりスポットが崩れたりして印刷画質を損なうおそれがある。
【０００７】
また、実案２５３６７１１号公報に記載の技術のように複数の光源装置を一つの筐体に収めた走査光学装置においては、光源装置を近接して配置することで、小型化、駆動回路の一体化を行ってコストダウンを行うことが課題であった。
【０００８】
本出願の目的は、マルチビーム光源手段と平行光束化手段とが傾いて組みつけられるという問題点を解消し、光源装置の小型化を実現し、光源装置の取り扱い性能を向上させ、またマルチビーム光学系においてマルチビーム光源手段の姿勢を安定させながら回転調整する手段を形成すると共に、複数の光源装置を一つの筐体に収めた走査光学装置を安価に実現することが可能な光源装置及び画像形成装置を提供することにある。
【０００９】
【課題を解決するための手段】
上記目的を達成するため、本発明に係る光源装置は、複数のレーザ光を発するマルチビーム光源手段と、前記マルチビーム光源手段からの光束を平行光束化する平行光束化手段と、該平行光束化手段と前記マルチビーム光源手段とを保持する保持手段と、該保持手段が組みつけられる筐体とを有し、前記マルチビーム光源手段を前記筐体に対して略光軸まわりに回転させることにより調整を行う光源装置において、前記筐体は、前記保持手段に接触して該保持手段を位置決めする位置決め手段を、前記平行光束化手段の光軸方向に少なくとも２つ備え、前記保持手段は、前記少なくとも２つの位置決め手段と接触する部位の間に、前記マルチビーム光源手段を回転調整するための調整手段を備えることを特徴とする。
【００１０】
また、本発明に係る光源装置は、前記位置決め手段がＶ形状であることを特徴とする。
【００１１】
また、本発明に係る光源装置は、前記調整手段は、保持手段の外部に向かって突出している突出部であることを特徴とする。
【００１２】
また、本発明に係る光源装置は、前記筐体は、前記突出部が挿入される穴を備えることを特徴とする。
【００１３】
また、本発明に係る光源装置は、前記筐体の穴は貫通穴であり、前記突出部は穴を貫通していることを特徴とする。
【００１４】
また、本発明に係る光源装置は、前記突出部が、前記筐体の穴の少なくとも１方向において該穴に嵌合していることを特徴とする。
【００１５】
また、本発明に係る光源装置は、前記調整手段は、前記保持手段の内部に向かって窪んでいる窪み部であることを特徴とする。
【００１６】
また、本発明に係る光源装置は、前記筐体が、前記窪み部に略一致する位置に貫通穴を備えることを特徴とする。
【００１７】
また、本発明に係る光源装置は、前記マルチビーム光源手段は複数の発光点を持ち、前記保持手段は前記位置決め手段に接触しながら回転可能であることを特徴とする。
【００１８】
さらに、本発明に係る画像形成装置は、上記光源装置から出射されたレーザ光を、複数の結像光学系に各々対応する像坦持体上に導光し、各々の像坦持体面に互いに異なった色の画像を形成してカラー画像を形成することを特徴とする。
【００１９】
上記構成によって、光源装置の小型化を実現し、光源装置の取り扱い性能を向上させ、マルチビーム光学系においてマルチビーム光源部の姿勢を安定させながら回転調整する手段を形成する。また複数の光源装置を一つの筐体に収めた走査光学装置を安価に実現することができる。
【００２０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２１】
また、以下の図面において、既述の図面に記載された部品と同様の部品には同じ番号を付す。
【００２２】
（光源装置の第１の実施形態）
まず、本発明に係る光源装置の第１の実施形態について図１を参照して説明する。図１は、本発明に係る光源装置の第１の実施形態の構成を示す斜視図である。
【００２３】
図１に示されるように、本発明に係る光源装置の第１の実施形態は、Ｖ形状８の部分とＶ形状８の間に設けられた穴１０とが設けられた光学箱３６を備える。
【００２４】
また、本発明に係る光源装置の第１の実施形態は、後述する図２に示されるように、突出部９を備えるレーザホルダ４、コリメータ鏡筒５、コリメータレンズ３８及び半導体レーザ３９からなるレーザユニット３０（図１では不図示）を備える。
【００２５】
また、本実施形態の光源装置は、レーザユニット３０を保持するための板バネ３と、ビス６とを備える。
【００２６】
半導体レーザ３９はレーザホルダ４に圧入固定され、コリメータレンズ３８はコリメータ鏡筒５に接着固定されている。
【００２７】
そして、レーザホルダ４に対しコリメータ鏡筒５をピント方向と光軸に垂直な照射位置ＸＹ方向の計３次元方向に対して寸法公差内に入るように高精度に位置を調整し接着固定することでユニット化（レーザユニット３０（図２参照。図１において不図示）している。
【００２８】
ここで、上記のレーザユニット３０について図２を参照して説明する。図２は、図１に示される光源装置が備えるレーザユニットの斜視図である。
【００２９】
レーザユニット３０は図２に示すように、内部にコリメートレンズ３８や絞り（図示せず）を具備したコリメータ鏡筒５や半導体レーザ３９が、突出部９を有するレーザホルダ４に対して固定・配置され、光軸合わせやピント調整されて組み付けられている。
【００３０】
次に、図１を用いた説明にもどる。図１に示されるように、レーザユニット３０はビス６及び板バネ３でもって光学箱３６に固定される。
【００３１】
レーザユニット３０は略円筒形状となっている面を光学箱３６のＶ形状８に突き当てられ板バネ３で付勢されている。光学箱３６のＶ形状８は１つのレーザユニット３０あたり光軸方向に２ヶ所設けられている。もちろん、このＶ形状の個数としては２個に限定されるものではなく、２個以上の数であっても良い。このＶ形状８は、レーザホルダ４の位置決め手段となる。
【００３２】
レーザユニット３０は複数のビームを出射するマルチビームのレーザユニット３０であり、光学箱３６上の２ヶ所のＶ形状８の間に設けられた穴１０に対してレーザホルダ４に具備された突出部９を差し込んで組付ける。
【００３３】
次に、図１及び図２に示される半導体レーザ３９について図３を参照して説明する。図３は、図１及び図２に示される半導体レーザの構成図である。
【００３４】
図３に示すように半導体レーザ３９は内部に２つの発光点４３を有し、端面発光型のレーザチップ４０からのレーザ光Ｌ１，Ｌ２がコリメータレンズ３８側に取り出されてコリメートされたレーザビームＬＣ１，ＬＣ２となる。
【００３５】
一方、レーザチップ４０からの背面レーザ光Ｌ’１，Ｌ’２はパッケージに内蔵した１つのフォトダイオード４２により検出され、光量を一定に保ついわゆるＡＰＣ動作に利用される。
【００３６】
これらＡＰＣ動作はレーザ駆動電流に対してレーザ光Ｌ１，Ｌ２とＬ’１，Ｌ’２がほぼ等価的に変化することを利用するものであって、通常は走査レーザ光による有効書き込み領域外で走査回毎の書き込み開始直前に行うか、通紙する頁間隔の期間にこれら光量調整は行われている。
【００３７】
次に、図１及び図２を用いた説明にもどる。マルチビームのレーザユニット３０の光軸まわりの回転調整時には、外部から工具クランプ７の先端をレーザホルダ４の突出部９に嵌め合わせて、工具クランプ７を動かすことによってレーザユニット３０を回転させ調整する。
【００３８】
この回転調整について図４を参照して説明する。図４に、図１に示される光源装置の上面図（ａ）と断面図（ｂ）を示す。本実施形態では、図４の（ｂ）に示されるように、工具クランプ７を矢印Ｂ方向に動かすことでマルチビームのレーザユニット３０を光軸まわりに回転させる。
【００３９】
光学箱３６のＶ形状８に設けられた穴１０は、回転調整に必要な量だけマルチビームのレーザユニット３０が回転したとしてもレーザホルダ４の突出部９が光学箱３６に干渉しないガタを持った大きさとしている。
【００４０】
ここで穴１０が光軸方向にもガタを持っているとマルチビームのレーザユニット３０を回転させたときに光軸方向のガタ分だけ動いてしまうため、突出部９を光軸方向に略嵌合させほぼ光軸周りの回転方向にだけ動くようにしている。すなわち、本実施形態では、穴１０に突出部９の少なくとも１方向（光軸方向）は嵌合していることになる。
【００４１】
本実施形態に特有の効果は、レーザホルダ４が光学箱３６と接触する２箇所のＶ形状８の間に突出部９を備えることによって、マルチビームのレーザユニット３０を回転調整する際に姿勢を安定させながら調整が可能となり、レーザユニット３０が傾いてお辞儀したり首振りしたりすることによる製品の印字画質の劣化を予め防止できる。
【００４２】
また、光学箱３６にレーザホルダ４の突出部９が挿入される穴１０を設けることで、マルチビームのレーザユニット３０を光学箱３６に組付ける際のラフガイドとすることができる。これによってレーザユニット３０の光学箱３６への組付けが容易になり、組付けに要する時間は短縮され、製品コストの低減が期待できる。
【００４３】
（画像形成装置の第１の実施形態）
次に、本発明に係る画像形成装置の第１の実施形態について図５を参照して説明する。図５は、本発明に係る画像形成装置の第１の実施形態である、カラー画像形成装置の断面図である。
【００４４】
本実施形態においては、画像情報に基づいて各々光変調された各ビームＬＣ、ＬＭ、ＬＹ、ＬＫが各々の光学箱３６ａ，３６ｂから出射し、各々対応する感光ドラム４６Ｃ、４６Ｍ、４６Ｙ、４６ＢＫ面上を照射して潜像を形成する。
【００４５】
この潜像は１次帯電器４７Ｃ、４７Ｍ、４７Ｙ、４７ＢＫによって各々一様に帯電している感光ドラム４６Ｃ、４６Ｍ、４６Ｙ、４６ＢＫ面上に形成されており、現像器１Ｃ、１Ｍ、１Ｙ、１ＢＫによって各々シアン・マゼンタ、イエロー、ブラックの画像に可視像化され、転写ベルト４４上を搬送されてくる転写材４５に転写ローラ２Ｃ、２Ｍ、２Ｙ、２ＢＫによって順に静電転写されることによってカラー画像が形成される。
【００４６】
この後感光ドラム４６Ｃ、４６Ｍ、４６Ｙ、４６ＢＫ面上に残っている残留トナーはクリーナ４８Ｃ、４８Ｍ、４８Ｙ、４８ＢＫによって除去されて、次のカラー画像を形成する為に再度１次帯電器４７Ｃ、４７Ｍ、４７Ｙ、４７ＢＫによって一様に帯電される。
【００４７】
上記転写材４５は給紙トレイ４９上に積載されており、給紙ローラ５０によって１枚ずつ順に給紙され、レジストローラ５１によって画像の書き出しタイミングに同期をとって転写ベルト４４上に送り出される。
【００４８】
転写ベルト４４上を精度良く搬送されている間に感光ドラム４６Ｃ、４６Ｍ、４６Ｙ、４６ＢＫ面上に形成されたシアンの画像、マゼンタの画像、イエローの画像、ブラックの画像が順に転写材４５上に転写されてカラー画像が形成される。
【００４９】
駆動ローラ５２は転写ベルト４４の送りを精度良く行っており、回転ムラの小さな駆動モータ（図示せず）と接続している。転写材４５上に形成されたカラー画像は定着器５３によって熱定着された後、排紙ローラ５４などによって搬送されて装置外に出力される。
【００５０】
次に、図５に示されるカラー画像形成装置が備える走査光学装置の構成について図６を参照して説明する。図６は、図５に示されるカラー画像形成装置が備える走査光学装置の上面図（（ａ）及び（ｃ））及び断面図（（ｂ）及び（ｄ））である。なお、以下の説明は、図６の（ａ）及び（ｂ）に示される走査光学装置を例に説明するが、図６の（ｃ）及び（ｄ）に示される走査光学装置にも同様の説明が成り立つ。
【００５１】
半導体レーザ３９Ｃ、３９Ｍから出射されたビームはポリゴンミラー３１ａによって異なる方向に走査される。
【００５２】
ポリゴンミラー３１ａによって走査されたビームはそれぞれ走査レンズ３２Ｃ、３２Ｍを透過し、折り返しミラー３３Ｃ、３３Ｍによって反射されて、感光ドラム４６Ｃ、４６Ｍ、４６Ｙ、４６ＢＫに結像する。このような走査光学系を２対並列に並べることで、４つの感光ドラム上に走査光を導いている。
【００５３】
次に、図６に示される走査光学装置に適用される光源装置について図７及び図８を参照して説明する。図７は、図６に示される走査光学装置に適用される光源装置の斜視図であり、図８は、図６に示される走査光学装置に適用される光源装置の上面図（ａ）及び断面図（ｂ）である。ただし、図７及び図８においては、図６に示される３９Ｃの「Ｃ」や、４Ｍの「Ｍ」等は、簡単のため省略している。つまり、図７及び図８に示される光源装置は、図６の（ａ）に示される走査光学装置及び図６の（ｃ）に示される走査光学装置のいずれにも適用されうる光源装置である。
【００５４】
図７に示されるように、半導体レーザ３９はレーザホルダ４に圧入固定され、コリメータレンズ３８はコリメータ鏡筒５に接着固定されている。
【００５５】
そして、レーザホルダ４に対しコリメータ鏡筒５をピント方向と光軸に垂直な照射位置ＸＹ方向の計３次元方向に対して寸法公差内に入るように高精度に位置を調整し接着固定することでユニット化（レーザユニット）している。このレーザユニットは、前述の図２に示されるレーザユニット３０と同様であり、以下図２をも参照しつつ説明する。
【００５６】
レーザユニット３０は板バネ３及びビス６でもって光学箱３６に固定される。レーザユニット３０は略円筒形状となっている面を光学箱３６のＶ形状８に突き当てられて板バネ３で付勢されている。
【００５７】
光学箱３６のＶ形状８は１つのレーザユニット３０あたり光軸方向に２ヶ所設けられている。レーザユニット３０は光学箱３６上の２ヶ所のＶ形状８の間に設けられた穴１０に対してレーザホルダ４に具備された突出部９を差し込んで組付ける。
【００５８】
図７に示されるように、レーザユニット３０は２つ対にして光学箱３６に組み付けられる。２つ対にする組合せは、同じ１つのポリゴンミラー（図示せず）にビームが入射する２つのレーザユニット３０である。
【００５９】
図６に示される例ではシアンとマゼンタ、イエローとブラックの画像を形成するビームを出射するレーザユニット３０同士を対にしている。
【００６０】
また、図８の（ｂ）に示されるように、マルチビーム光学系では工具クランプ７を矢印Ｂ方向に動かすことでレーザユニット３０を光軸まわりに回転させる。
【００６１】
このように本実施形態では、１つの光学箱３６に組み付けられる４つのレーザユニット３０は全て突出部９が同じ方向（組付け方向）を向いているため必ず工具クランプ７は一方向から（組付け方向の反対側から）だけでアクセスすることになり、マルチビームレーザユニット３０の回転調整工具が簡略化され工具コストが低減されるだけでなく、複数のレーザユニット３０を同時に調整することも構成上可能となるので、調整に要する時間を短縮する効果も期待できる。
【００６２】
またレーザホルダ４の突出部９を一方向に向けて揃えることで、レーザユニット３０の取り付け面積は円筒分の面積分だけでよいことになり、その結果１つの光学箱３６の狭いスペースに効率的に複数のレーザユニット３０を配置できるので装置の小型化につながる。
【００６３】
（画像形成装置の第２の実施形態）
次に、本発明に係る画像形成装置の第２の実施形態について図９を参照して説明する。図９は、本発明に係る画像形成装置の第２の実施形態が備える走査光学装置に適用される光源装置の上面図（ａ）及び断面図（ｂ）である。
【００６４】
本実施形態の画像形成装置の走査光学装置の光源装置以外の構成は、前述の本発明に係る画像形成装置の第１の実施形態と同様であり、図５を用いた説明などはそのまま本実施形態の説明に適用することができる。したがって、以下の説明において説明に必要な部品の番号は、前述の実施形態の説明において説明した部品の番号を用いる。
【００６５】
本実施形態は、図６、図７及び図８に示される光源装置の変形例であり、変形されている点は、レーザホルダ４００に窪み部１１が設けられている点である。
【００６６】
前述の図２に示される例と同様に、本実施形態においても、レーザホルダ４００、コリメータ鏡筒５、コリメータレンズ３８及び半導体レーザ３９によってマルチビームのレーザユニットが形成される。
【００６７】
このレーザユニットに対して回転調整をする時には、外部の工具クランプ７００の先端が光学箱３６の穴１０に挿入されレーザホルダ４００の窪み部１１に当接し、この状態で工具クランプ７００を矢印Ｂ方向に動かすことでレーザユニットを光軸まわりに回転させて調整する。
【００６８】
このように、本実施形態は、前述の本発明に係る画像形成装置の第１の実施形態と同様の効果をえることができると共に、本実施形態に特有の効果は、レーザホルダ４００の大きさを小さくすることができ、レーザホルダ４００の型コストや材料コスト等を低く抑えることができる点である。
【００６９】
ここで、上記各実施形態の説明では、位置決め手段としてＶ形状８を例に示してきたが本発明はこのような場合に限定されるものではなく、この位置決め手段のＶ形状８に該当する部分は、例えば、図１０に示すようなＵ溝形状、図１１に示すようなコの字形状、図１２に示すような階段形状であっても本発明を実施することは可能である。図１０は、図６に示される走査光学装置に適用される光源装置の第１の変形例の上面図及び断面図、図１１は、図６に示される走査光学装置に適用される光源装置の第２の変形例の上面図及び断面図、図１２は、図６に示される走査光学装置に適用される光源装置の第３の変形例の上面図及び断面図である。また、図１０、図１１及び図１２に示される位置決め手段の形状は、図９に示されるような窪み部を有する光源装置にも適用され得る。
【００７０】
ただし、図１０に示すようなＵ溝形状ではレーザホルダ４との間に嵌合ガタを有するため、レーザユニット３０の位置が一意には定まりにくい。
【００７１】
また、図１１に示すようなコの字形状でもレーザホルダ４の位置が図１１で左右の方向にガタを持つため、やはりレーザユニット３０の位置が一意に定まりにくい。
【００７２】
最後に図１２に示すような階段形状ではレーザホルダ４の位置が一意に定まるが、レーザホルダ４の位置は階段の角のエッジの鋭さによって変わる。そして、その角のエッジは光学箱３６の型上では隅部にあたるため型加工がしにくく、理想的なエッジ形状を作るには型加工の際に時間とコストがかかり不利である。
【００７３】
従って、レーザホルダの位置決め手段としては図４に示すようなＶ形状が最も望ましいのである。
【００７４】
【発明の効果】
以上説明したように、本発明によれば、保持手段に例えば突出部や窪み部等による調整手段を付加した構成とすることで小型化を実現する。
【００７５】
また、光源装置の突出部が光源装置を筐体に組付ける際のラフガイドとなることで光源装置の取り扱い性能を向上させることができる。
【００７６】
またマルチビーム光学系において筐体の２つのＶ形状の間にある突出部や窪み部等の調整手段をクランプしながら光源装置を回転調整することにより、マルチビーム光源手段の姿勢を安定させながら回転調整することができる。
【００７７】
またこれらによって筐体に対し複数の光源装置を一つの筐体に収めた走査光学装置を安価に実現することができる。
【図面の簡単な説明】
【図１】本発明に係る光源装置の第１の実施形態の構成を示す斜視図である。
【図２】図１に示される光源装置が備えるレーザユニットの斜視図である。
【図３】図１及び図２に示される半導体レーザの構成図である。
【図４】図１に示される光源装置の上面図（ａ）と断面図（ｂ）である。
【図５】本発明に係る画像形成装置の第１の実施形態である、カラー画像形成装置の断面図である。
【図６】図５に示されるカラー画像形成装置が備える走査光学装置の上面図（（ａ）及び（ｃ））及び断面図（（ｂ）及び（ｄ））である。
【図７】図６に示される走査光学装置に適用される光源装置の斜視図である。
【図８】図６に示される走査光学装置に適用される光源装置の上面図（ａ）及び断面図（ｂ）である。
【図９】本発明に係る画像形成装置の第２の実施形態が備える走査光学装置に適用される光源装置の上面図（ａ）及び断面図（ｂ）である。
【図１０】図６に示される走査光学装置に適用される光源装置の第１の変形例の上面図及び断面図である。
【図１１】図６に示される走査光学装置に適用される光源装置の第２の変形例の上面図及び断面図である。
【図１２】図６に示される走査光学措置に適用される光源装置の第３の変形例の上面図及び断面図である。
【符号の説明】
１，１Ｃ，１Ｍ，１Ｙ，１ＢＫ　現像器
２，２Ｃ，２Ｍ，２Ｙ，２ＢＫ　転写ローラ
３　板バネ
４，４Ｃ，４Ｍ，４Ｙ，４ＢＫ　レーザホルダ
５，５Ｃ，５Ｍ，５Ｙ，５ＢＫ　コリメータ鏡筒
６　ビス
７　工具クランプ
８　Ｖ形状
９　突出部
１０　穴
１１　窪み部
３０　レーザユニット
３１，３１Ｃ，３１Ｍ，３１Ｙ，３１ＢＫ　ポリゴンミラー
３２，３２Ｃ，３２Ｍ，３２Ｙ，３２ＢＫ　走査レンズ
３３，３３Ｃ，３３Ｍ，３３Ｙ，３３ＢＫ　折り返しミラー
３６ａ，３６ｂ　光学箱
３７　シリンダレンズ
３８，３８Ｃ，３８Ｍ，３８Ｙ，３８ＢＫ　コリメートレンズ
３９，３９Ｃ，３９Ｍ，３９Ｙ，３９ＢＫ　半導体レーザ
４０　レーザチップ
４２　フォトダイード
４３　発光点
４４　転写ベルト
４５　転写材
４６Ｃ，４６Ｍ，４６Ｙ，４６ＢＫ　感光ドラム
４７Ｃ，４７Ｍ，４７Ｙ，４７ＢＫ　１次帯電器
４８Ｃ，４８Ｍ，４８Ｙ，４８ＢＫ　クリーナ
４９　給紙トレイ
５０　給紙ローラ
５１　レジストローラ
５２　駆動ローラ
５３　定着器
５４　排紙ローラ
４００　レーザホルダ
７００　工具クランプ
【図１】
2004034608.tif 000003
【図２】
2004034608.tif 000004
【図３】
2004034608.tif 000005
【図４】
2004034608.tif 000006
【図５】
2004034608.tif 000007
【図６】
2004034608.tif 000008
【図７】
2004034608.tif 000009
【図８】
2004034608.tif 000010
【図９】
2004034608.tif 000011
【図１０】
2004034608.tif 000012
【図１１】
2004034608.tif 000013
【図１２】
2004034608.tif 000014